(57)【要約】【課題】  適正かつ柔軟に充電料金を請求、徴収することが可能な電気自動車の充電システムを提供する。【解決手段】  電気自動車２のバッテリ２１を充電するとともに、充電日時や充電電力量を含む充電情報を取得する充電器３１と、ユーザを識別する識別情報を取得する充電ターミナル３２とを有する充電設備３を、複数の充電スタンドＣＳに設置し、管理コンピュータ４において、各充電設備３から受信した充電情報と識別情報とに基づいて充電料金を算出する。【選択図】  図１
2010178450.tif 000002
【特許請求の範囲】
【請求項１】
複数の場所に設置され、電気自動車のバッテリを充電する充電手段と、充電日時や充電電力量を含む充電情報を取得する充電情報取得手段と、ユーザを識別する識別情報を取得する識別情報取得手段と、を有する充電ユニットと、
前記各充電ユニットと通信可能に接続され、前記各充電ユニットから受信した充電情報と識別情報とに基づいて充電料金を算出する料金算出手段を有する処理装置と、
を備えることを特徴とする電気自動車の充電システム。
【請求項２】
前記料金算出手段は、前記充電情報と識別情報とを受信するたびに、前記識別情報に該当するユーザの所定の期間における総充電料金を算出する、ことを特徴とする請求項１に記載の電気自動車の充電システム。
【請求項３】
前記処理装置は、時間帯別の単位電力量あたりの充電料金などの料金メニュを記憶した料金メニュ記憶手段を備え、前記料金算出手段は、前記充電情報と前記料金メニュ記憶手段に記憶された料金メニュとに基づいて充電料金を算出する、ことを特徴とする請求項１または２のいずれか１項に記載の電気自動車の充電システム。
【請求項４】
前記充電情報には、バッテリの充電状況を示すデータを含み、前記処理装置は、前記各充電ユニットから受信した充電情報に基づいてバッテリの劣化状況を解析する劣化解析手段を備える、ことを特徴とする請求項１から３のいずれか１項に記載の電気自動車の充電システム。
【発明の詳細な説明】
【技術分野】
【０００１】
この発明は、電気自動車のバッテリを充電する電気自動車の充電システムに関し、特に、複数の充電場所でバッテリを充電する電気自動車の充電システムに関する。
【背景技術】
【０００２】
近年、電気自動車の開発や普及促進が進められ、企業や自治体などにおいて電気自動車の導入が行われている。このような導入においては、企業や自治体のビルの駐車場などに充電設備を設置し、電気自動車を使用して外出先から帰った際に、駐車場に電気自動車を駐車すると同時に、充電設備でバッテリを充電する、という使用形態、充電形態がとられている。つまり、駐車場（充電設備）を拠点・中心とし、この拠点から１回の充電で走行できる範囲内で走行して、再び拠点に戻って充電する、というものである。このため、走行範囲が制限され、１回の充電で走行可能な距離を越えて、遠方まで行くことはできなかった。
【０００３】
これに対し、ショッピングセンタの駐車場などに充電設備を設置し、任意のユーザが電気自動車のバッテリを充電できるようにした充電システムが知られている（例えば、特許文献１、２参照。）。このシステムを複数のショッピングセンタなどに展開することで、走行先で順次充電しながら、遠方まで走行することが可能となる。また、このような充電システムでは、充電に要した電力量（充電電力量）と、一定・一種類の単位料金（単位電力量あたりの充電料金）とに基づいて充電料金を算出し、駐車、充電の度に充電料金を請求、徴収するものである。
【先行技術文献】
【特許文献】
【０００４】
【特許文献１】特開平１１−０８６０５８号公報
【特許文献２】特開平０７−００４０９５号公報
【発明の概要】
【発明が解決しようとする課題】
【０００５】
ところで、上記のような充電システムでは、充電設備を設置して充電サービスを提供する事業者などが電力会社と電力供給契約を締結し、その１ヶ月分の電力料金を基礎として一律の充電料金（単位料金）を設定する。つまり、充電を行う時間帯や充電サービスの利用回数などに係らず、常に一定の単位料金に基づく充電料金をユーザは支払わなければならない。この結果、電力会社が提供する電力料金メニュ（例えば、時間帯別に料金単価が異なるメニュ）が充電料金に適正に反映されず、ユーザは電力料金メニュによる恩恵を受け難い。また、上記のような充電システムでは、ひとつの充電設備が単独の独立した設備となっており、充電の度に充電料金を請求、徴収するため、複数の異なる駐車場などで充電サービスを何度も利用するユーザなどに対して、料金面でのメリットを付与することが困難である。このように、上記のような充電システムでは、充電料金を適正かつ柔軟に設定することが困難なため、ユーザに対して料金面で電気自動車の普及を促進することが可能なシステムが望まれる。
【０００６】
そこでこの発明は、適正かつ柔軟に充電料金を請求、徴収することが可能な電気自動車の充電システムを提供することを目的とする。
【課題を解決するための手段】
【０００７】
上記目的を達成するために請求項１に記載の発明は、複数の場所に設置され、電気自動車のバッテリを充電する充電手段と、充電日時や充電電力量を含む充電情報を取得する充電情報取得手段と、ユーザを識別する識別情報を取得する識別情報取得手段と、を有する充電ユニットと、前記各充電ユニットと通信可能に接続され、前記各充電ユニットから受信した充電情報と識別情報とに基づいて充電料金を算出する料金算出手段を有する処理装置と、を備えることを特徴とする電気自動車の充電システムである。
【０００８】
この発明によれば、例えば、ある場所の充電ユニットで電気自動車のバッテリを充電すると、充電情報と識別情報とが処理装置に送信され、料金算出手段によって充電料金が算出され、別の場所の充電ユニットで電気自動車を充電すると、そのときの充電料金が算出される。あるいは、各場所で充電された際の充電情報と識別情報とに基づく、トータルの充電料金が算出などされる。
【０００９】
請求項２に記載の発明は、請求項１に記載の電気自動車の充電システムにおいて、前記料金算出手段は、前記充電情報と識別情報とを受信するたびに、前記識別情報に該当するユーザの所定の期間における総充電料金を算出する、ことを特徴とする。
【００１０】
この発明によれば、充電のたびに充電ユニットから処理装置に充電情報と識別情報とを送信すると、例えば、ある場所の充電ユニットで充電を行うと、料金算出手段によってその月における総充電料金が算出される。続いて別の場所の充電ユニットで充電を行うと、その月における最新の総充電料金が算出される。
【００１１】
請求項３に記載の発明は、請求項１または２に記載の電気自動車の充電システムにおいて、前記処理装置は、時間帯別の単位電力量あたりの充電料金などの料金メニュを記憶した料金メニュ記憶手段を備え、前記料金算出手段は、前記充電情報と前記料金メニュ記憶手段に記憶された料金メニュとに基づいて充電料金を算出する、ことを特徴とする。
【００１２】
請求項４に記載の発明は、請求項１から３に記載の電気自動車の充電システムにおいて、前記充電情報には、バッテリの充電状況を示すデータを含み、前記処理装置は、前記各充電ユニットから受信した充電情報に基づいてバッテリの劣化状況を解析する劣化解析手段を備える、ことを特徴とする。
【００１３】
この発明によれば、ある場所の充電ユニットで充電を行うと、バッテリの充電状況を示すデータが処理装置に送信され、劣化解析手段によってバッテリの劣化状況が解析される。
【発明の効果】
【００１４】
請求項１に記載の発明によれば、複数の場所で電気自動車を充電すると、各充電時における充電日時と充電電力量（充電情報）が処理装置に送信され、充電料金が算出される。このため、各充電時の充電日時や充電電力量に適合した適正な充電料金を算出したり、複数回充電することによる割引などを考慮した充電料金を算出したりすること、つまり適正かつ柔軟に充電料金を請求、徴収することが可能となる。
【００１５】
請求項２に記載の発明によれば、充電のたびに当該ユーザの所定の期間における総充電料金が算出されるため、ユーザはこの期間における最新の総充電料金を知ることが可能となり、これにより計画的な充電などを行うことが可能となる。
【００１６】
請求項３に記載の発明によれば、時間帯別の単位電力量あたりの充電料金など（料金メニュ）と充電日時および充電電力量とに基づいて充電料金が算出される。このため、充電の時間帯などに応じた適正な充電料金を請求、徴収することができ、ユーザは多様な料金メニュによる料金面でのメリットを享受することが可能となる。
【００１７】
請求項４に記載の発明によれば、各充電ユニットから受信したバッテリの充電状況を示すデータに基づいてバッテリの劣化状況が解析されるため、この解析結果に基づいてユーザや自動車整備業者などは、バッテリを保守したりバッテリの取替計画を策定したりすることが可能となる。
【図面の簡単な説明】
【００１８】
【図１】この発明の実施の形態に係る充電システムを示す概略構成図である。
【図２】図１の充電システムの充電器の構成ブロック図である。
【図３】図２の充電器の充電部と電気自動車側との関係を示す構成ブロック図である。
【図４】図１の充電システムの充電ターミナルの構成ブロック図である。
【図５】図１の充電システムの管理コンピュータの構成ブロック図である。
【図６】図５の管理コンピュータのユーザデータベースのデータ構成図である。
【図７】図６のユーザデータベースの充電データのデータ構成図である。
【図８】図６のユーザデータベースのバッテリデータのデータ構成図である。
【図９】図５の管理コンピュータの料金タスクのフローチャートである。
【図１０】図５の管理コンピュータの解析タスクのフローチャートである。
【図１１】図１の充電システムの処理動作などを示すタイミングチャートである。
【図１２】図１１の続きを示すタイミングチャートである。
【発明を実施するための形態】
【００１９】
以下、この発明を図示の実施の形態に基づいて説明する。
【００２０】
図１は、この発明の実施の形態に係る電気自動車の充電システム（以下、「充電システム」という）１を示す概略構成図である。この充電システム１は、複数の充電場所で電気自動車２のバッテリ２１を充電するシステムであり、場所が異なる複数の充電スタンドＣＳに充電設備（充電ユニット）３が設置され、充電サービス事業者のビルＰＢ内に管理コンピュータ（処理装置）４が設置されている。ここで、充電サービス事業者は、電力会社と複数の充電スタンドＣＳに電力供給を受ける契約（一契約多引込線契約）を結び、各ユーザは、充電サービス事業者と複数の充電スタンドＣＳで充電サービスを受ける契約（一契約多充電地点契約）を結んでいるとする。
【００２１】
電気自動車２は、バッテリ（二次電池）２１でモータ（電動機、図示せず）を動かす自動車であり、バッテリ２１としては、リチウムイオン蓄電池、鉛蓄電池、ニッケル水素蓄電池など（いずれもシール形を含む。）、モータとしては、永久磁石式同期型モータなどの交流モータや直流モータなどが挙げられる。さらに、電気自動車２には、直流を交流に変換するインバータ、変速機、差動装置（デファレンシャル）などが搭載されている。また、バッテリ２１には蓄電池ケーブル２２が接続され、この蓄電池ケーブル２２の先端部には充電ポート２３が設けられている。そして、この充電ポート２３に後述する充電器３１の充電パドル３１１３が挿着されることで、充電器３１からの電力供給を受けられるものである。
【００２２】
充電設備３は、主として、各電気自動車２の駐車領域に対応して設置された複数の充電器３１と、各充電器３１の制御や管理コンピュータ４とのデータ通信などを行う一台の充電ターミナル３２とを備えている。各充電器３１と充電ターミナル３２とは充電ケーブル３３によって接続され、この充電ケーブル３３を介して電力および信号の送信が可能となっている。そして、後述するようにして、充電器３１と充電ターミナル３２とによって、商用電源（変電所）からの電力供給を受けてバッテリ２１を充電する充電手段が構成されている。
【００２３】
充電器３１は、図２に示すように、充電部３１１と、測定部（充電情報取得手段）３１２と、通信部３１３と、これらを制御などする演算制御部３１４とを備えている。充電部３１１は、図３に示すように、充電ターミナル３２に接続された入力開閉部３１１１と、コンバータ３１１２と、充電パドル３１１３とを備えている。コンバータ３１１２は、交流を直流に変換するとともに電圧を調整する（昇圧または降圧する）ＡＣ／ＤＣ変換器である。充電パドル３１１３は、電磁誘導式または接触式の端子で（接触式の場合には「充電コネクタ」ともいう。）、電気自動車２の充電ポート２３に挿着できるようになっている。
【００２４】
そして、入力開閉部３１１１がオン（閉）されると、充電ターミナル３２を介して入力された商用電源からの電流が、コンバータ３１１２で直流に変換され、その電力が充電パドル３１１３と充電ポート２３とを介してバッテリ２１に供給される。これにより、バッテリ２１が充電される。このようにこの実施の形態では、充電器３１にコンバータ３１１２を備え、交流を直流に変換しているが、電気自動車２側でコンバータ、充電器を備える場合には、充電器３１に備えなくてもよい。あるいは、電気自動車２にコンバータを備えない場合にのみ、充電器３１のコンバータ３１１２を介して電力供給するようにしてもよい。
【００２５】
ここで、図３中符号２４は、バッテリ２１の充電を制御などするバッテリコントローラであり、このバッテリコントローラ２４は、バッテリ２１の残容量（ＳＯＣ：Ｓｔａｔｅ  Ｏｆ  Ｃｈａｒｇｅ、充電状態）を検知するバッテリ残容量検知部（図示せず）を備えている。そして、通信ライン２５を介して充電器３１（通信部３１３）と通信可能となっている。
【００２６】
測定部３１２は、時計と、バッテリ２１側に流れる電流値（充電電流値）を計測する電流計と、充電ポート２３を介してバッテリ２１の電圧値を測定する電圧計とを備えている。そして、これらの計器の計測結果に基づいて、充電日時や充電電力量（充電に要した電力量）、バッテリの充電状況を示すデータ、例えば、充電開始前のバッテリの開放電圧（ＯＣＶ：Ｏｐｅｎ  Ｃｉｒｃｕｉｔ  Ｖｏｌｔａｇｅ）や充電中の充電電流値、および充電後の容量などの充電情報を演算、取得するものである。また、この充電情報には、バッテリコントローラ２４から取得したバッテリ２１の残容量、つまり充電開始前の容量も含まれる。
【００２７】
通信部３１３は、通信装置を備え、上述の充電パドル３１１３と充電ポート２３とを介して電気自動車２のバッテリコントローラ２４と、また、充電ケーブル３３内の通信ケーブル（図示せず）を介して充電ターミナル３２と通信可能となっている。
【００２８】
充電ターミナル３２は、図４に示すように、電力供給部３２１と、通信部３２２と、読取部（識別情報取得手段）３２３と、入力部３２４と、印刷部３２５と、これらを制御などする演算制御部３２６とを備えている。また、各充電ターミナル３２には、充電ターミナル３２つまり充電スタンドＣＳを識別するターミナル番号が付与されている。
【００２９】
電力供給部３２１は商用電源に接続され、複数の出力ポートを備え、充電要求された充電器３１に対して、商用電源からの電力を供給してバッテリ２１を充電するものである。通信部３２２は、通信装置を備え、各充電器３１および通信網ＮＷを介して管理コンピュータ４と通信可能となっている。読取部３２３は、ＩＣカード内のデータを読み取る読取装置で、ユーザを識別する識別情報、具体的には充電サービス事業者との契約によって付与された契約番号を読み取るものである。このように、この実施の形態では、ＩＣカードに記憶された契約番号を識別情報としているが、指紋や声紋などの身体情報や電気自動車２の車両番号などの車両情報を識別情報としてもよい。
【００３０】
入力部３２４は、電気自動車２の運転者・ユーザなどが充電要求や充電終了要求などを入力するためのキーパッドから構成されている。印刷部３２５は、印刷装置から構成され、後述する充電料金やバッテリ２１の劣化状況などを印刷するものである。
【００３１】
管理コンピュータ４は、図５に示すように、通信部４１と、ユーザデータベース４２と、メニュデータベース（料金メニュ記憶手段）４３と、料金タスク（料金算出手段）４４と、解析タスク（劣化解析手段）４５と、メール部４６と、これらを制御などする中央処理部４７とを備えている。通信部４１は、通信装置を備え、通信網ＮＷを介して各充電ターミナル３２や外部の通信端末と通信可能となっている。
【００３２】
ユーザデータベース４２は、充電サービス事業者と充電サービスに関する契約をいているユーザに関する情報などを記憶したデータベースであり、図６に示すように、契約番号４２１毎に、ユーザ名４２２、連絡先４２３、充電データ４２４、バッテリデータ４２５および、その他４２６が記憶されている。そして、ユーザ名４２２には、ユーザの氏名が記憶され、連絡先４２３には、ユーザの連絡先電話番号や電子メールアドレスが記憶されている。
【００３３】
充電データ４２４には、充電サービスを受けた際の充電に関するデータが記憶されている。具体的には、図７に示すように、充電ごとの、充電場所を示す充電スタンドＣＳ名、充電日、時間帯別充電量および充電料が記憶されている。ここで、「時間帯別充電量」とは、一日を８〜１０時、１０〜１７時、１７〜２３時、および２３〜８時の４つの時間帯に分け、充電を行った時間に該当する時間帯に充電電力量を記憶したものである。このように、４つの時間帯に分けて充電電力量を記憶するのは、後述するように、単位電力量あたりの充電料金（単位料金）がこの時間帯によって異なるからである。また、「充電料」としては、後述するようにして算出された当充電の料金が記憶されている。さらに図示されていないが、月毎の最新の総充電料金が記憶されている。例えば、２００８年８月現在の場合、７月までの月毎の総充電料金と、８月の最新の総充電料金とが記憶されている。このようなデータは、後述するように、料金タスク４４において記憶されるようになっている。
【００３４】
バッテリデータ４２５には、充電サービスを受けた際のバッテリに関するデータが記憶されている。具体的には、図８に示すように、充電ごとの、充電スタンドＣＳ名、充電日、充電前の開放電圧（ＯＣＶ）、充電中の充電電流、充電前の容量（残容量）、充電後の容量および解析結果が記憶されている。ここで、充電中の充電電流は、例えば、充電電流値と電圧の時間的変化を示すデータ・グラフとして記憶され、解析結果には、後述するようにして解析されたバッテリ２１の劣化状況が記憶されている。このようなデータは、後述するように、解析タスク４５において記憶されるようになっている。
【００３５】
メニュデータベース４３は、充電サービスの利用料金、つまり充電料金の料金メニュ（料金プラン）を記憶したデータベースである。具体的には、時間帯ごとに単位料金が異なるという料金メニュが記憶され、８〜１０時、１０〜１７時、１７〜２３時、および２３〜８時の４つの時間帯の単位料金が記憶されている。このように、この実施の形態では、ひとつの料金メニュのみを備えているが、サービスの利用回数や、１ヶ月における総充電電力量などに応じて充電料金を割り引く料金メニュなど、複数の料金メニュを備え、ユーザが選択した料金メニュを適用したり、複数の料金メニュを適用したりしてもよい。
【００３６】
料金タスク４４は、各充電ターミナル３２から受信した充電情報と契約番号（識別情報）とに基づいて充電料金を算出するプログラムであり、図９に示すフローチャートに基づいている。ここで、この料金タスク４４は、後述するように、充電の終了ごとに起動されるようになっている。
【００３７】
まず、充電ターミナル３２から受信した契約番号に該当するユーザデータベース４２の契約番号４２１の充電データ４２４に、データを記憶する（ステップＳ１）。すなわち、図７に示すように、受信した充電ターミナル３２のターミナル番号を「充電場所」に、充電情報中の充電日を「充電日」に、充電情報中の充電電力量を充電時間に該当する時間帯に記憶する。次に、該当する料金メニュを取得する（ステップＳ２）。この実施の形態では、上記のようにひとつの料金メニュのみを備えているため、このメニュを一義的に取得すればよいが、例えば複数の料金メニュを備えている場合には、ユーザが選択、登録した料金メニュなどを取得する。
【００３８】
続いて、取得した料金メニュと充電情報とに基づいて、当充電の充電料金を算出する（ステップＳ３）。具体的には、時間帯ごとに単位料金が異なる料金メニュのため、該当する時間帯の単位料金に、充電情報の充電電力量を乗算して充電料金を算出する。次に、当月の総充電料金を算出する（ステップＳ４）。すなわち、ユーザデータベース４２の充電データ４２４に記憶されている当月の最新の総充電料金に、ステップＳ３で算出した当充電の充電料金を加算して、総充電料金を算出する。そして、ステップＳ３で算出した当充電の充電料金を充電データ４２４の「充電料」に記憶し、ステップＳ４で算出した総充電料金を充電データ４２４の当月の総充電料金として記憶する（ステップＳ５）。このように、充電ターミナル３２から充電情報と契約番号とを受信するたびに、つまり充電の終了のたびに、当充電の充電料金と、契約番号に該当するユーザの当月（所定の期間）の総充電料金とを算出するものである。
【００３９】
解析タスク４５は、各充電ターミナル３２から受信した充電情報に基づいて、バッテリ２１の劣化状況を解析するプログラムであり、図１０に示すフローチャートに基づいている。ここで、この解析タスク４５は、後述するように、充電の終了ごとに起動されるようになっている。
【００４０】
まず、充電ターミナル３２から受信した契約番号に該当するユーザデータベース４２の契約番号４２１のバッテリデータ４２５に、データを記憶する（ステップＳ１１）。すなわち、図８に示すように、受信した充電ターミナル３２のターミナル番号を「充電場所」に、充電情報中の充電日を「充電日」に、充電情報中の開放電圧を「ＯＣＶ」に、充電情報中の充電電流値を「充電電流」に、充電情報中の充電前の容量を「充電前容量」に、充電情報中の充電後の容量を「充電後容量」に記憶する。
【００４１】
次に、サイクルオーバか否かを判定する（ステップＳ１２）。すなわち、充放電の実績回数や、各充電時における充電前の容量つまり放電深度などに基づいて、バッテリ２１が許容するサイクル使用の回数を超えているか否かを判定する。そして、超えていると判定した場合には、バッテリデータ４２５の「解析結果」に「サイクル寿命」を記憶する（ステップＳ１３）。
【００４２】
一方、サイクルオーバしていないと判定した場合には、充電電流に異常があるか否かを判定する（ステップＳ１４）。具体的には、バッテリデータ４２５の「充電電流」に記憶されたデータに基づいて、充電初期の充電電流値が異常に高い、充電終期に充電電流値が所定値以下にならない、充電電流値がばらついている、などの異常があるか否かを判定する。そして、異常と判定した場合には、バッテリデータ４２５の「解析結果」に「充電受入異常」を記憶する（ステップＳ１５）。
【００４３】
続いて、電圧に異常があるか否かを判定する（ステップＳ１６）。すなわち、例えば、バッテリデータ４２５の「ＯＣＶ」に記憶されている開放電圧が規定値以下であるか否か、あるいは充電中の電圧に異常があるか否かを判定する。そして、異常と判定した場合には、バッテリデータ４２５の「解析結果」に「電圧異常」を記憶する（ステップＳ１７）。
【００４４】
さらに、低放電でサイクル使用されているか否かを判定する（ステップＳ１８）。すなわち、バッテリデータ４２５の「充電前容量」に記憶されたデータに基づいて、残容量が大きい状態で充電がされる場合が多いか、つまり浅い放電、充電を繰り替えしているか否かを判定する。このように、浅い充放電サイクルをチェックするのは、浅い充放電サイクルを繰り返すと、バッテリ２１の寿命に悪影響を与える場合があるからである。そして、低放電でサイクル使用されていると判定した場合には、バッテリデータ４２５の「解析結果」に「低放電」を記憶する（ステップＳ１９）。
【００４５】
その後、上記のすべての異常に該当しない場合（ステップＳ２０で「Ｙ」の場合）には、バッテリデータ４２５の「解析結果」に「異常なし」を記憶する（ステップＳ２１）ものである。以上のように、この実施の形態では、複数の異常に該当する場合には、バッテリデータ４２５の「解析結果」に複数の異常情報が記憶されるようになっている。
【００４６】
メール部４６は、電子メールソフトを備え、指定された電子メールアドレスに、通信部４１を介して後述する充電完了メッセージなどを送信するものである。
【００４７】
次に、このような構成の充電システム１の処理動作などについて、図１１、１２に示すタイミングチャートに基づいて説明する。
【００４８】
まず、ユーザが充電ターミナル３２の読取部３２３にＩＣカードを挿入すると、読取部３２３によってＩＣカード内の契約番号が読み取られ（ステップＳ３１）、読み取られた契約番号がターミナル番号とともに管理コンピュータ４に送信される（ステップＳ３２）。そして、この契約番号がユーザデータベース４２の契約番号４２１内に記憶されていない場合、つまりユーザが充電サービスを利用できない場合（ステップＳ３３で「Ｎ」の場合）には、充電ターミナル３２に「利用不可」の指令が送信される（ステップＳ３４）。これを受けて、充電ターミナル３２において充電サービスを利用できない旨が表示されたり、発音されたりする（ステップＳ３５）。
【００４９】
一方、契約番号がユーザデータベース４２の契約番号４２１内に記憶され、ユーザが充電サービスを利用できる場合（ステップＳ３３で「Ｙ」の場合）には、充電ターミナル３２に「利用可」の指令が送信される（ステップＳ３６）。これを受けて、充電ターミナル３２において利用する充電器３１が割り出され（ステップＳ３７）、その充電器３１に対して「充電要求」の指令が送信される（ステップＳ３８）。
【００５０】
次に、ユーザが電気自動車２を充電器３１に近づけ、電気自動車２の充電ポート２３に充電器３１の充電パドル３１１３を挿着すると、上記のようにして充電ターミナル３２および充電器３１を介して、商用電源からの電力がバッテリ２１に供給され充電が行われる（ステップＳ３９）。続いて、バッテリ２１が満充電に達して充電が完了すると、充電器３１から充電ターミナル３２に、「充電完了」メッセージが送信される（ステップＳ４０）。この「充電完了」メッセージには、充電器３１の識別情報とともに、充電日時、充電電力量、充電前のバッテリの開放電圧、充電中の充電電流値、充電前後の容量などの充電情報が含まれる。このように図１１では、バッテリ２１が満充電に達して「充電完了」メッセージを送信する場合について説明しているが、ユーザが充電パドル３１１３を外したりして強制的に充電を終了した場合には、「充電終了」メッセージが送信される。この場合には、後述する完了メッセージの電子メール発信（ステップＳ４２）は行わない。
【００５１】
この「充電完了」メッセージを受け、ターミナル番号と契約番号を付与した「充電完了」メッセージが充電ターミナル３２から管理コンピュータ４に送信される（ステップＳ４１）。そして、メール部４６によって、ユーザの電子メールアドレス（連絡先４２３に記憶されたアドレス）に対して充電完了を伝えるメッセージが送信される（ステップＳ４２）。これにより、ユーザは充電スタンドＣＳから離れた場所にいる場合であっても、充電が完了したことを知ることができる。
【００５２】
次に、管理コンピュータ４において料金タスク４４が起動され、上記のようにしてこの充電の充電料金と、ユーザの当月の総充電料金とが算出される（ステップＳ４３）。続いて、解析タスク４５が起動され、上記のようにしてバッテリ２１の劣化状況が解析される（ステップＳ４４）。そして、これらの結果である充電料金および解析結果などが、契約番号とともに充電ターミナル３２に送信され（ステップＳ４５）、充電ターミナル３２に記憶される。
【００５３】
その後、ユーザが再び充電ターミナル３２にＩＣカードを挿入すると、読取部３２３によって契約番号が読み取られ、この契約番号に該当する充電料金および解析結果などが、印刷部３２５によって印刷される（ステップＳ４６）。次に、充電ターミナル３２から充電器３１に「開放指示」の指令が送信され（ステップＳ４７）、これを受けて充電器３１が充電可能な状態となる（ステップＳ４８）ものである。
【００５４】
このような充電サービスを複数の充電スタンドＣＳで受け、当月の請求日になると、充電サービス事業者から各ユーザに対して請求書が発行、発送される。ここで、請求書には、各充電の明細、つまり図7に示すような充電場所、充電日、時間帯別充電量および充電料と、当月の総充電料金とが記載されるとともに、バッテリ２１の劣化状況が記載される。
【００５５】
以上のように、この充電システム１によれば、地理的に異なる複数の充電スタンドＣＳで電気自動車２を充電すると、時間帯別の単位料金（料金メニュ）に基づいて充電料金が算出される。このため、充電の時間帯などに応じた適正な充電料金を請求、徴収することができ、ユーザは適正かつ多様な料金メニュによる料金面でのメリットを享受することが可能となる。また、ユーザは、充電のたびに料金を支払う必要がなく、しかも、充電のたびにユーザの当月の総充電料金が算出、印刷されるため、ユーザは当月の最新の総充電料金を知り、計画的な充電などを行うことが可能となる。さらに、充電のたびにバッテリ２１の劣化状況が解析、印刷されるため、劣化状況に基づいて、バッテリ２１の保守や取替などを容易かつ適正に行うことが可能となる。
【００５６】
以上、この発明の実施の形態について説明したが、具体的な構成は、上記の実施の形態に限られるものではなく、この発明の要旨を逸脱しない範囲の設計の変更等があっても、この発明に含まれる。例えば、上記の実施の形態では、充電の都度、当充電の充電料金を算出しているが、所定の期間（例えば１ヶ月）待って、各充電時の充電日時や充電電力量などに基づいて、総合的に充電料金を算出してもよい。例えば、特定の充電スタンドＣＳの利用率が低い場合に、この充電スタンドＣＳの充電料金を割り引いたり、特定の充電スタンドＣＳがショッピングモールに設置されている場合に、ショッピングモールでの購入額に応じてこの充電スタンドＣＳの充電料金を割り引いたりしてもよい。
【００５７】
あるいは、ある充電器３１で急速充電を行っているために、他の充電器３１による充電に長時間を要する場合に、このような他の充電器３１による充電を許容するユーザに対して低い充電料金を設定してもよい。これにより、充電スタンドＣＳにおける最大電力（契約電力）を低く抑えて、電力の平準化、ピークカットを行うことが可能となる。このような低料金の設定は、ひとつの充電スタンドＣＳ内のみではなく、複数の充電スタンドＣＳにわたって適用してもよい。すなわち、ある充電スタンドＣＳで急速充電を行っているために充電に長時間を要する充電器３１がある場合に、その旨を充電スタンドＣＳなどに表示することで、そのような充電器３１の使用を促すとともに、急速充電を要する他のユーザを他の充電スタンドＣＳに導くことができる。以上のように、この発明によれば、より適正かつ柔軟、多様に充電料金を請求、徴収することが可能となる。
【００５８】
また、充電設備３（充電ユニット）を充電器３１と充電ターミナル３２とから構成しているが、一体的に構成してもよい。さらに、充電システム１とナビゲーションシステムとをリンクさせ、充電の都度、バッテリ２１の容量で走行可能な範囲に位置する充電スタンドＣＳをディスプレイに表示するようにしてもよい。これにより、充電スタンドＣＳが無人で電話機が設置されておらず、電話番号を利用したナビゲーションシステムによる案内が困難な場合でも、充電スタンドＣＳを案内することができる。
【符号の説明】
【００５９】
１        充電システム
２        電気自動車
２１      バッテリ
３        充電設備（充電ユニット）
３１      充電器（充電手段）
３１１    充電部
３１２    測定部（充電情報取得手段）
３２      充電ターミナル（充電手段）
３２１    電力供給部
３２３    読取部（識別情報取得手段）
３２５    印刷部
４        管理コンピュータ（処理装置）
４２      ユーザデータベース
４２４    充電データ
４２５    バッテリデータ
４３      メニュデータベース（料金メニュ記憶手段）
４４      料金タスク（料金算出手段）
４５      解析タスク（劣化解析手段）
４６      メール部
ＣＳ      充電スタンド
ＰＢ      充電サービス事業者ビル
ＮＷ      通信網
【図１】
2010178450.tif 000003
【図２】
2010178450.tif 000004
【図３】
2010178450.tif 000005
【図４】
2010178450.tif 000006
【図５】
2010178450.tif 000007
【図６】
2010178450.tif 000008
【図７】
2010178450.tif 000009
【図８】
2010178450.tif 000010
【図９】
2010178450.tif 000011
【図１０】
2010178450.tif 000012
【図１１】
2010178450.tif 000013
【図１２】
2010178450.tif 000014